(57)【要約】  本発明の点滴灌漑装置は、流通管の内周面に接合される底面およびこれの反対側の上面を有する流通管の長手方向に長尺な板状に形成され、上面上に配置され、流通管内の灌漑用液体を流路内に流入させる流入部と、流路を経て吐出口から吐出される灌漑用液体の吐出量を制御する吐出量制御部と、上面上に、前記長手方向における一端から他端側に亘って凹入形成され、前記他端側に向かうにしたがって溝幅および溝深さが漸減するような形状に形成された第１溝部とを有する。
2014097638.tif 000002
【特許請求の範囲】
【請求項１】
灌漑用液体を流通させる長尺な流通管の内周面上であって、前記流通管の内周面と外周面とを貫通する前記灌漑用液体の吐出口に対応する位置に配置され、前記吐出口から前記灌漑用液体を吐出させることにより点滴灌漑を行う点滴灌漑用ドリッパであって、
前記流通管の内周面に接合される底面および前記底面と反対側の上面を有する前記流通管の長手方向に長尺な板状に形成され、
前記上面上に配置され、前記流通管内の前記灌漑用液体を点滴灌漑用ドリッパ本体の流路内に流入させる流入部と、
前記流入部に対して前記点滴灌漑用ドリッパ本体の流路上における下流側の位置に配置され、前記流路を経て前記吐出口から吐出される前記灌漑用液体の吐出量を制御する吐出量制御部と、
前記上面上に、前記長手方向における一端から前記長手方向における他端側に亘って凹入形成された第１溝部と
を備え、
前記第１溝部は、前記他端側に向かうにしたがって溝幅および溝深さが漸減するような形状に形成されている、
点滴灌漑用ドリッパ。
【請求項２】
前記第１溝部は、楔形状に形成されている、請求項１に記載の点滴灌漑用ドリッパ。
【請求項３】
前記第１溝部は、溝幅方向における中央部に向かうにしたがって溝深さが漸増するような形状に形成されている、請求項２に記載の点滴灌漑用ドリッパ。
【請求項４】
前記第１溝部は、溝幅方向における中心線が、前記長手方向に対して傾きを有するような形状に形成されている、請求項３に記載の点滴灌漑用ドリッパ。
【請求項５】
前記第１溝部に、前記流路内への異物の侵入を抑制するためのフィルタ構造が形成されている、請求項１に記載の点滴灌漑用ドリッパ。
【請求項６】
前記上面上に、前記長手方向における他端から前記長手方向における一端側に亘って凹入形成された第２溝部をさらに備え、
前記第２溝部は、前記一端側に向かうにしたがって溝幅および溝深さが漸減するような形状に形成されている、
請求項１〜５のいずれか一項に記載の点滴灌漑用ドリッパ。
【請求項７】
前記第２溝部は、楔形状に形成されている、請求項６に記載の点滴灌漑用ドリッパ。
【請求項８】
前記第２溝部は、溝幅方向における中央部に向かうにしたがって溝深さが漸増するような形状に形成されている、請求項７に記載の点滴灌漑用ドリッパ。
【請求項９】
前記第２溝部は、溝幅方向における中心線が、前記長手方向に対して傾きを有するような形状に形成されている、請求項８に記載の点滴灌漑用ドリッパ。
【請求項１０】
前記上面上に、前記長手方向における他端から前記長手方向における一端側に亘って凹入形成された第２溝部をさらに備え、
前記第２溝部は、前記一端側に向かうにしたがって溝幅および溝深さが漸減するように形成されているとともに、溝幅方向における中心線が、前記第１溝部の中心線に平行に形成されている、
請求項４に記載の点滴灌漑用ドリッパ。
【請求項１１】
前記第２溝部に、前記流路内への異物の侵入を抑制するためのフィルタ構造が形成されている、請求項６に記載の点滴灌漑用ドリッパ。
【請求項１２】
灌漑用液体を流通させる長尺な流通管と、
前記流通管の内周面と外周面とを貫通する前記灌漑用液体の吐出口に対応する位置に配置された、請求項１〜１１のいずれか一項に記載の点滴灌漑用ドリッパと
を備える、
点滴灌漑装置。
【請求項１３】
前記点滴灌漑用ドリッパは、請求項１〜５のいずれか一項に記載の点滴灌漑用ドリッパであり、
前記第１溝部は、前記上面上における前記流通管内の灌漑用液体の流通方向の上流端側に配置されている、
請求項１２に記載の点滴灌漑装置。
【発明の詳細な説明】
【技術分野】
【０００１】
本発明は、点滴灌漑用ドリッパおよびこれを備えた点滴灌漑装置に係り、特に、植物の育成に好適な点滴灌漑用ドリッパおよびこれを備えた点滴灌漑装置に関する。
【背景技術】
【０００２】
以前から、農地や植え込み等の土壌に育成される植物に対して水や液肥等の灌漑用液体を供給する手段として、点滴灌漑システムが用いられている。【０００３】
例えば、この点滴灌漑システムは、水源から水を汲み上げるポンプ、濾過器、液肥混入装置（必要に応じて化学薬品添加装置）、逆流防止装置、主配管、主配管の末端に接続された長尺な点滴灌水チューブなどを有する。点滴灌水チューブは、植物が育成される土壌の上に敷設されている。【０００４】
ここで、点滴灌水チューブは、長尺なチューブ本体の長手方向に沿って、所定の間隔で穿設された複数の吐出口から、チューブ本体内の灌漑用液体を単位時間あたり所定の吐出量（換言すれば、吐出速度）で吐出させることで、点滴灌水チューブの外部の土壌に灌漑用液体をゆっくりと供給（すなわち、点滴灌漑）する。【０００５】
この点滴灌水チューブを使用することによって、水や肥料を節約できるだけでなく、緩やかな供給速度で給水を行うことができる。また、植物の根に必要な酸素を土壌中に確保しておくことができる。これによって、植物の育成状態を良好に管理できる。【０００６】
そして、この点滴灌水チューブには、各吐出口からの単位時間あたりの灌漑用液体の吐出量を制御するための各吐出口に対応した複数の点滴灌漑用ドリッパが内蔵されている。【０００７】
この点滴灌漑用ドリッパは、チューブ本体内を流通する水を、流入口を通して点滴灌漑用ドリッパの内部に流入させた後に、点滴灌漑用ドリッパの内部の減圧流路（ラビリンス）を流通させて減圧を行った上で、減圧流路の下流側に連通された吐出口から吐出させる。【０００８】
また、点滴灌漑用ドリッパの中には、いわゆる差圧制御機構（圧力補正機能）が搭載されたものがある。この種の点滴灌漑用ドリッパは、例えば、特許文献１に記載の点滴灌漑用ドリッパ（エミッターユニット）のように、ダイヤフラムのような弾性を有する膜（例えば、シリコーンゴム）を、流入側の部材と吐出側の部材とで挟み込むような３体構造で構成されている。【０００９】
この種の点滴灌漑用ドリッパは、特許文献１の段落０００４にも記載されているように、点滴灌漑用ドリッパ（エミッター）からの排出速度が点滴灌漑用ドリッパへの灌漑供給流の圧力の変動に実質的に無関係であるように設計されている。【００１０】
したがって、この種の点滴灌漑用ドリッパは、チューブ本体内の上流側（高圧側）に設置された点滴灌漑用ドリッパと下流側（低圧側）に設置された点滴灌漑用ドリッパとの間で灌漑用液体の吐出量のばらつきを抑えることによって、土壌全体での植物の育成状態の均一化を図るのに好適とされていた。
【先行技術文献】
【特許文献】
【００１１】
【特許文献１】特開２０１０−４６０９４号公報
【発明の概要】
【発明が解決しようとする課題】
【００１２】
しかしながら、特許文献１に記載の点滴灌漑用ドリッパは、高性能ではあるが、部品点数を要するため、大型化（特に、高ハイト化）してしまう。そして、この滴灌漑用ドリッパをチューブ本体内に配置する場合、チューブ本体内の流路断面に対する点滴灌漑用ドリッパの面積占有率が大きくなる。【００１３】
よって、チューブ本体内において、上流側の点滴灌漑用ドリッパは、流路上に横たわっているため、上流側の点滴灌漑用ドリッパを通り過ぎて下流側の点滴灌漑用ドリッパから外部に吐出されようとする灌漑用液体にとって大きな障害物となって流通の妨げとなってしまい、圧力損失が大きくなってしまう。【００１４】
したがって、特許文献１に記載の点滴灌漑用ドリッパを使用する場合には、高圧ポンプを用いない限り十分に長い点滴灌水チューブを利用した長距離灌水を行うことは困難であり、吐出量も不安定であるといった問題がある。【００１５】
なお、これまでにも、圧力損失を低減させる工夫としては、点滴灌漑用ドリッパの外形を角部が削落する等が行われていたが、安定的な長距離灌水を行うためには尚不十分であった。【００１６】
本発明の目的は、圧力損失を有効に緩和することができ、長距離灌漑を適切に行うことができる点滴灌漑用ドリッパおよびこれを備えた点滴灌漑装置を提供することである。
【課題を解決するための手段】
【００１７】
本発明に係る点滴灌漑用ドリッパは、灌漑用液体を流通させる長尺な流通管の内周面上であって前記流通管の内周面と外周面とを貫通する前記灌漑用液体の吐出口に対応する位置に配置され、前記吐出口から前記灌漑用液体を吐出させることにより点滴灌漑を行う点滴灌漑用ドリッパであって、前記流通管の内周面に接合される底面および前記底面と反対側の上面を有する前記流通管の長手方向に長尺な板状に形成され、前記上面上に配置され、前記流通管内の前記灌漑用液体を点滴灌漑用ドリッパ本体の流路内に流入させる流入部と、前記流入部に対して前記点滴灌漑用ドリッパ本体の流路上における下流側の位置に配置され、前記流路を経て前記吐出口から吐出される前記灌漑用液体の吐出量を制御する吐出量制御部と、前記上面上に、前記長手方向における一端から前記長手方向における他端側に亘って凹入形成された第１溝部とを備え、前記第１溝部は、前記他端側に向かうにしたがって溝幅および溝深さが漸減するような形状に形成されている。【００１８】
また、前記第１溝部は、楔形状に形成されていてもよい。【００１９】
また、前記第１溝部は、溝幅方向における中央部に向かうにしたがって溝深さが漸増するような形状に形成されていてもよい。【００２０】
また、前記第１溝部は、溝幅方向における中心線が、前記長手方向に対して傾きを有するような形状に形成されていてもよい。【００２１】
また、前記第１溝部に、前記流路内への異物の侵入を抑制するためのフィルタ構造が形成されていてもよい。【００２２】
また、前記上面上に、前記長手方向における他端から前記長手方向における一端側に亘って凹入形成された第２溝部をさらに備え、前記第２溝部は、前記一端側に向かうにしたがって溝幅および溝深さが漸減するような形状に形成されていてもよい。【００２３】
また、前記第２溝部は、楔形状に形成されていてもよい。【００２４】
また、前記第２溝部は、溝幅方向における中央部に向かうにしたがって溝深さが漸増するような形状に形成されていてもよい。【００２５】
また、前記第２溝部は、溝幅方向における中心線が、前記長手方向に対して傾きを有するような形状に形成されていてもよい。【００２６】
また、前記上面上に、前記長手方向における他端から前記長手方向における一端側に亘って凹入形成された第２溝部をさらに備え、前記第２溝部は、前記一端側に向かうにしたがって溝幅および溝深さが漸減するように形成されているとともに、溝幅方向における中心線が、前記第１溝部の中心線に平行に形成されていてもよい。【００２７】
また、前記第２溝部に、前記流路内への異物の侵入を抑制するためのフィルタ構造が形成されていてもよい。【００２８】
本発明に係る点滴灌漑装置は、灌漑用液体を流通させる長尺な流通管と、前記流通管の内周面と外周面とを貫通する前記灌漑用液体の吐出口に対応する位置に配置された、本発明に係る点滴灌漑用ドリッパとを備える。【００２９】
また、本発明の点滴灌漑装置は、前記第１溝部が、前記上面上における前記流通管内の灌漑用液体の流通方向の上流端側に配置されていてもよい。【００３０】
このような構成によれば、第１溝部によって、流通管内を流通する灌漑用液体に対する点滴灌漑用ドリッパによる流路抵抗を低減させて灌漑用液体の直進性を高めることができるため、灌漑用液体の圧力損失を緩和することができ、長距離灌漑を適切に行うことができる。また、第１溝部の形状を好適化することによって、灌漑用液体の直進性を更に向上させることができる。また、第１溝部上を流通する灌漑用液体の流れを幅方向における中央部側に集約して、この中央部に沿った整流を行うことができるため、灌漑用液体の直進性をより向上させることができる。また、第１溝部によって、流路管内に灌漑用液体の螺旋渦流を生じさせることができるため、点滴灌漑用ドリッパによる抵抗を可及的に受け難い灌漑用液体の流れを形成して、圧力損失を更に有効に緩和することができる。また、第１溝部上を高速で流通する灌漑用液体によるフィルタ構造のフラッシング効果を奏することができる。また、点滴灌漑用ドリッパを流通管内に長手方向における逆向きに誤組した場合であっても、第２溝部が第１溝部と同様の作用を奏することができるので、製造容易性および歩留まりを向上させることができる。また、第２溝部の形状を好適化することによって、誤組が生じた場合においても、灌漑用液体の直進性を更に向上させることができる。また、誤組が生じた場合においても、第２溝部上を流通する灌漑用液体の流れを幅方向における中央部側に集約して、この中央部に沿った整流を行うことができるので、灌漑用液体の直進性をより向上させることができる。また、誤組が生じた場合においても、第２溝部によって、流路管内に灌漑用液体の螺旋渦流を生じさせることができるので、点滴灌漑用ドリッパによる抵抗を可及的に受け難い灌漑用液体の流れを形成して、圧力損失を更に有効に緩和することができる。また、流通管内の流路に沿って配置された複数の点滴灌漑用ドリッパの第１溝部および第２溝部が協働することによって、螺旋渦流を長距離にわたって持続させることができるので、長距離にわたって圧力損失を有効に低減させることができる。また、第２溝部上を高速で流通する灌漑用液体によるフィルタ構造のフラッシング効果を奏することができる。また、流通管内を流通する灌漑用液体に対する点滴灌漑用ドリッパによる流路抵抗を低減させて灌漑用液体の直進性を高めることができるため、灌漑用液体の圧力損失を緩和することができ、長距離灌漑を適切に行うことができる。また、第１溝部を適切に機能させて、所期の作用効果を確実に奏することができる。
【発明の効果】
【００３１】
本発明によれば、圧力損失を有効に緩和することができ、長距離灌漑を適切に行うことができる。
【図面の簡単な説明】
【００３２】
【図１】図１は、本発明の実施の形態１に係る点滴灌漑用ドリッパを示す概略俯瞰斜視図である。
【図２】図２は、図１に示す点滴灌漑用ドリッパの平面図である。
【図３】図３は、実施の形態１に係る点滴灌漑装置としての点滴灌水チューブを示す概略断面図である。
【図４】図４は、本発明の実施の形態２に係る点滴灌漑用ドリッパを示す概略俯瞰斜視図である。
【図５】図５は、図４に示す点滴灌漑用ドリッパの平面図である。
【図６】図６は、本発明の実施の形態２に係る点滴灌漑用ドリッパの点滴灌水チューブの概略断面図である。
【図７】図７は、実施の形態２の作用および効果を説明するための説明図である。
【図８】図８は、本発明の実施の形態３に係る点滴灌漑用ドリッパを示す概略俯瞰斜視図である。
【図９】図９は、図８に示す点滴灌漑用ドリッパの平面図である。
【図１０】図１０は、実施の形態３に係る点滴灌漑用ドリッパの作用および効果を説明するための説明図である。
【図１１】図１１は、実施の形態３の変形例に係る点滴灌漑用ドリッパを示す概略俯瞰斜視図である。
【図１２】図１２は、図１１に示す点滴灌漑用ドリッパの平面図である。
【図１３】図１３は、本発明の他の形態の要部を示す斜視図である。
【発明を実施するための形態】
【００３３】
〔実施の形態１〕
以下、図１〜図３を参照して、本発明の実施の形態１に係る点滴灌漑用ドリッパについて説明する。
【００３４】
（構成）
図１は、本発明の実施の形態１に係る点滴灌漑用ドリッパ１の概略俯瞰斜視図である。図２は、図１に示す点滴灌漑用ドリッパ１の平面図である。図３は、実施の形態１に係る点滴灌漑装置としての点滴灌水チューブ２を示す概略断面図である。
【００３５】
図３に示されるように、実施の形態１における点滴灌水チューブ２は、灌漑用液体を流通させる流通管としての長尺な略円筒形状のチューブ本体３と、チューブ本体３に内蔵された点滴灌漑用ドリッパ１とを有する。
【００３６】
また、図３に示されるように、点滴灌漑用ドリッパ１は、チューブ本体３の内周面３１上であって、この内周面３１とチューブ本体３の外周面３２とを貫通する灌漑用液体の吐出口３３に対応する位置に、吐出口３３を覆うように配置されている。そして、点滴灌漑用ドリッパ１は、対応する吐出口３３からの単位時間あたりの灌漑用液体の吐出量を制御する。
【００３７】
なお、図３には、便宜上、点滴灌漑用ドリッパ１および吐出口３３が１つずつ示されているが、実際は、複数の点滴灌漑用ドリッパ１および複数の吐出口３３が、チューブ本体３の長手方向に沿って所定の間隔で配置されている。
【００３８】
また、図３においては、チューブ本体３内の流路における左側が上流（水源）側であり、右側が下流側である。
【００３９】
さらに、図１〜図３に示されるように、点滴灌漑用ドリッパ（点滴灌漑用ドリッパ本体）１の外観は、チューブ本体３の長手方向に長尺な略直方体形状の板状に形成されている。
【００４０】
すなわち、図１〜図３に示されるように、点滴灌漑用ドリッパ１は、底面１１と、底面１１と反対側の上面１２と、底面１１および上面１２を接続する側面１３とによって大まかな外形を構成している。点滴灌漑用ドリッパ１およびチューブ本体３の材料は、特に限定されない。たとえば、点滴灌漑用ドリッパ１の材料はポリプロピレンなどの樹脂であり、チューブ本体３の材料は点滴灌漑用ドリッパ１よりも低融点のポリエチレンなどの樹脂である。また、チューブ本体３の製造方法も特に限定されない。たとえば、チューブ本体３は、押し出し成形によって形成されうる。
【００４１】
そして、点滴灌漑用ドリッパ１は、底面１１でチューブ本体３の内周面３１に接合されている。例えば、押し出し成形によって形成された点滴灌漑用ドリッパ１とチューブ本体３の内周面３１との接合は、硬化前のチューブ本体３の内周面３１上に、点滴灌漑用ドリッパ１を配置して、チューブ本体３の硬化と同時に完了させるようにしてもよい。
【００４２】
＜流路、流入部および吐出量制御部＞
また、図１〜図３に示されるように、点滴灌漑用ドリッパ１の上面１２上には、チューブ本体３内の灌漑用液体を点滴灌漑用ドリッパ１の内部の流路４内に流入させる流入部５が配置されている。さらに、図３に示されるように、流入部５に対して流路４上における下流側の位置には、流路４を経て吐出口３３から吐出される灌漑用液体の吐出量を制御する吐出量制御部６が配置されている。
【００４３】
なお、流路４は、点滴灌漑用ドリッパ１単独で構成されていてもよく、または、点滴灌漑用ドリッパ１とチューブ本体３の内周面３１とによって構成されていてもよい。
【００４４】
また、流入部５は、上面１２上に、点滴灌漑用ドリッパ１の外部（チューブ本体３内の流路）と流路４とを連通するように穿設された単一または複数の流入口を備えたものであってもよい。
【００４５】
さらに、吐出量制御部６は、流入部５から流入した灌漑用液体を吐出口３３側に向けて減圧させつつ流通させる減圧流路（流路４の一部）を形成するための減圧流路部を有していてもよい。さらにまた、吐出量制御部６は、灌漑用液体の液圧に晒されるように配置され、液圧が大きいほど吐出口３３側に大きく変形して吐出口３３、または吐出口３３の直前の流路４の遮蔽量を増加させるように形成されたダイヤフラム部を有していてもよい。
【００４６】
ここで、特許文献１には、ハウジング入口（流入部）から制限流路（減圧流路）内に灌漑水を流入させて減圧し、減圧後の灌漑水をハウジング出口から吐出口に向けて流出させ、流入および流出の制御を膜（ダイヤフラム部）によって行う構成が開示されている。また、本願に先立つ特願２０１２−１１８５５１号には、流入部、減圧流路部およびダイヤフラム部を有し、樹脂材料によって一体的に形成された点滴灌漑用ドリッパが開示されている。さらに、特願２０１２−２１６５７５号には、流入制御部（流入部）、減圧流路部および流量制御部を有し、樹脂材料によって一体的に形成された点滴灌漑用ドリッパが開示されている。これらの開示技術は、本実施形態の点滴灌漑用ドリッパ１の流路４、流入部５および吐出量制御部６を具現化する手段として採用してもよい。
【００４７】
＜第１溝部＞
さらに、図１〜図３に示されるように、上面１２上には、上面１２の長手方向（Ｙ方向）における一端（図２における左端）から長手方向における他端（図２における右端）側に亘って、第１溝部１２１が凹入形成されている。ただし、上面１２の長手方向における一端は、図３に示されるように、チューブ本体３内の灌漑用液体の流通方向における上流側の端部である。また、第１溝部１２１の長手方向における他端側の端部は、上面１２の長手方向における中央部よりも長手方向における一端側に位置されている。
【００４８】
更に詳述すると、図１〜図３に示されるように、第１溝部１２１は、上面１２の長手方向における他端側に向かうにしたがって、溝幅（Ｘ方向の寸法）および溝深さ（Ｚ方向の寸法）が漸減するような楔形状（換言すれば、三角錐形状）に形成されている。
【００４９】
また、第１溝部１２１は、溝幅方向における中央部に向かうにしたがって溝深さが漸増するように形成されている。
【００５０】
さらに、第１溝部１２１の溝幅方向における中心線（図２破線直線部参照）は、上面１２の長手方向と平行である。第１溝部１２１の平面視形状（図２）は、二等辺三角形状である。
【００５１】
＜フィルタ構造＞
さらにまた、図１〜図３に示されるように、第１溝部１２１を含む上面１２上には、流路４内への異物の侵入を抑制するためのフィルタ構造１２３が形成されている。
【００５２】
フィルタ構造１２３は、複数の凸部１２３１を有する。複数の凸部１２３１は、上面１２の幅方向（Ｘ方向）に長尺であり、かつ所定の高さ（Ｚ方向の寸法）を有する。複数の凸部１２３１は、上面１２の長手方向に所定の間隔で配置されている。
【００５３】
（作用および効果）
実施の形態１の点滴灌漑用ドリッパ１によれば、チューブ本体３内を流通する灌漑用液体の一部は、流入部５から点滴灌漑用ドリッパ１の流路４内に流入し、吐出量制御部６によって吐出量を制御されて吐出口３３から点滴灌水チューブ２の外部に吐出される。
【００５４】
一方、点滴灌漑用ドリッパ１に流入しない灌漑用液体は、点滴灌漑用ドリッパ１の上面１２上を通過してチューブ本体３の下流側に向かって流れる。このとき、第１溝部１２１上を通過する灌漑用液体は、第１溝部１２１によって灌漑用液体に対する点滴灌漑用ドリッパ１による抵抗が有効に低減される。また、第１溝部１２１の幅方向における中央部側に流れが集約されて中央部に沿った整流が行われるため、チューブ本体３の下流側に向けた高い直進性を発揮することができる。換言すれば、点滴灌漑用ドリッパ１による灌漑用液体の圧力損失が、第１溝部１２１によって有効に緩和される。
【００５５】
これにより、液圧を維持したまま、チューブ本体３の下流側に灌漑用液体を流通させることができ、下流側の点滴灌漑用ドリッパ１による吐出の機会を確保することができる。このようにして、チューブ本体３内の灌漑用液体を、点滴灌漑用ドリッパ１による圧力損失を緩和して下流側に至るまで効率的に流通させることができる。よって、本発明に係る点滴灌漑用ドリッパ１をチューブ本体３に沿って複数配置することにより、長距離灌漑を適切に行うことができる。
【００５６】
また、灌漑用液体が第１溝部１２１上を高速で通過することができるため、灌漑用液体によって第１溝部１２１上のフィルタ構造１２３をフラッシングすることができる。よって、点滴灌漑用ドリッパ１の性能劣化を抑制できる。
【００５７】
また、図１に示されるように、側面１３における上面１２側の所定範囲の部位を曲面１３１に形成することによって、圧力損失を更に緩和するようにしてもよい。
【００５８】
〔実施の形態２〕
次に、図４〜図７を参照して、本発明の実施形態２に係る点滴灌漑用ドリッパ１ついて説明する。
【００５９】
（構成）
図４は、本発明の実施の形態２に係る点滴灌漑用ドリッパを示す概略俯瞰斜視図である。図５は、図４に示す点滴灌漑用ドリッパの平面図である。図６は、本発明の実施の形態２に係る点滴灌漑用ドリッパの点滴灌水チューブの概略断面図である。
【００６０】
＜第２溝部＞
図４〜図６に示されるように、実施の形態２における点滴灌漑用ドリッパ１は、実施の形態１の点滴灌漑用ドリッパ１の構成に加えて、上面１２上に凹入形成された第２溝部１２２を有する。
【００６１】
具体的には、図４〜図６に示されるように、第２溝部１２２は、上面１２の長手方向（Ｙ方向）における他端（図５における右端）から長手方向における一端（図５における左端）側に亘って形成されている。また、第２溝部１２２の長手方向における一端側の端部は、上面１２の長手方向における中央部よりも長手方向における他端側に位置されている。なお、上面１２の長手方向における一端から他端側に亘って第１溝部１２１が形成されていることは、実施の形態１と同様である。
【００６２】
更に詳述すると、図４〜図６に示すように、第２溝部１２２は、上面１２の長手方向における一端側に向かうにしたがって、溝幅（Ｘ方向の寸法）および溝深さ（Ｚ方向の寸法）が漸減するような楔形状（換言すれば、三角錐形状）に形成されている。
【００６３】
また、第２溝部１２２は、溝幅方向における中央部に向かうにしたがって溝深さが漸増するような形状に形成されている。
【００６４】
さらに、第２溝部１２２の溝幅方向における中心線（図５一点鎖線部参照）は、上面１２の長手方向に平行である。第２溝部１２２の平面視形状（図５）は、二等辺三角形状である。なお、第２溝部１２２の形状は、第１溝部１２１の形状と合同であってもよい。また、図５に示すように、第２溝部１２２の中心線は、第１溝部１２１の中心線（破線直線部）と同一直線上に配置されていてもよい。
【００６５】
（作用および効果）
実施の形態２の点滴灌漑用ドリッパ１によれば、仮に、図７に示すように、点滴灌漑用ドリッパ１を図６に示した構成と長手方向において逆転した状態でチューブ本体３内に組み込んだ（誤組した）場合においても、第１溝部１２１に替わって、第２溝部１２２が、灌漑用液体の直進性を高める機能を発揮することができる。
【００６６】
また、実施の形態２の点滴灌漑用ドリッパ１は、製造誤差を吸収できる構成を有するため、製造容易性および歩留まりを向上させることができる。
【００６７】
〔実施の形態３〕
次に、図８〜図１０を参照して、本発明の実施の形態３に係る点滴灌漑用ドリッパ１について説明する。
【００６８】
（構成）
図８は、本発明の実施の形態３に係る点滴灌漑用ドリッパを示す概略俯瞰斜視図である。図９は、図８に示す点滴灌漑用ドリッパの平面図である。図１０は、実施の形態３に係る点滴灌漑用ドリッパの作用および効果を説明するための説明図である。
【００６９】
図８および図９に示されるように、実施の形態３に係る点滴灌漑用ドリッパ１と、実施の形態１に係る点滴灌漑用ドリッパ１との相違点は、第１溝部１２１の中心線（図９破線直線部参照）が、上面１２の長手方向（Ｙ方向）に対して傾きを有する点である。
【００７０】
（作用および効果）
本実施形態によれば、図１０に示されるように、第１溝部１２１が、チューブ本体３の長手方向に対して傾斜した灌漑用液体の流れを形成することによって、この流れが、螺旋渦流となってチューブ本体３内を下流側に向かって進行することができる。このような螺旋渦流は、直線流に比べて点滴灌漑用ドリッパ１による抵抗を受け難いので、圧力損失を更に有効に緩和することができる。
【００７１】
また、チューブ本体３内の各点滴灌漑用ドリッパ１が、いずれも同様の傾斜状の第１溝部１２１を備えるようにすれば、螺旋渦流を持続させることができ、圧力損失をより有効に緩和することができる。
【００７２】
（変形例）
図１１は、実施の形態３の変形例に係る点滴灌漑用ドリッパを示す概略俯瞰斜視図である。図１２は、図１１に示す点滴灌漑用ドリッパの平面図である。
【００７３】
なお、実施の形態２における構成は、図１１および図１２に示されるように、実施の形態２に係る点滴灌漑用ドリッパ１にも適用することができる。この場合、図１２に示されるように、第１溝部１２１および第２溝部１２２を、これらの中心線が互いに平行になるように形成してもよい。
【００７４】
本変形例によれば、チューブ本体３内の複数の点滴灌漑用ドリッパの第１溝部１２１および第２溝部１２２が協働することによって、螺旋渦流を更に長距離にわたって持続させることができるので、圧力損失を更に有効に低減させることができる。
【００７５】
なお、本発明は、前述した実施の形態に限定される必要はなく、本発明の特徴を損なわない限度において種々変更してもよい。
【００７６】
例えば、流入部５を、第１溝部１２１または第２溝部１２２上に形成してもよい。
【００７７】
また、第１溝部１２１および第２溝部１２２上のフィルタ構造１２３は、必要に応じて設けるようにしてもよい。
【００７８】
図１３は、本発明の他の形態の要部を示す斜視図である。図１３に示されるように、第１溝部１２１および第２溝部１２２を略半円錐状に形成してもよい。
【００７９】
本出願は、２０１２年１２月２０日出願の特願２０１２−２７８３５３に基づく優先権を主張する。当該出願明細書および図面に記載された内容は、すべて本願明細書に援用される。
【産業上の利用可能性】
【００８０】
本発明によれば、滴下すべき液体の圧力によって適切な速度での当該液体の滴下が可能なドリッパを簡易に提供することが可能である。したがって、点滴灌漑や耐久試験などの、長期の滴下を要する技術分野への上記ドリッパの普及および当該技術分野のさらなる発展が期待される。
【符号の説明】
【００８１】
１  点滴灌漑用ドリッパ
３  チューブ本体
４  流路
５  流入部
６  吐出量制御部
１１  底面
１２  上面
３１  内周面
３３  吐出口
１２１  第１溝部
１２２  第２溝部
【図１】
2014097638.tif 000003
【図２】
2014097638.tif 000004
【図３】
2014097638.tif 000005
【図４】
2014097638.tif 000006
【図５】
2014097638.tif 000007
【図６】
2014097638.tif 000008
【図７】
2014097638.tif 000009
【図８】
2014097638.tif 000010
【図９】
2014097638.tif 000011
【図１０】
2014097638.tif 000012
【図１１】
2014097638.tif 000013
【図１２】
2014097638.tif 000014
【図１３】
2014097638.tif 000015
【国際調査報告】
2014097638.tif 000016
2014097638.tif 000017